(57)【要約】【課題】アンテナを回動させるときに、回動軸方向に動くことがなく、高級感が得られる回転アンテナのロック構造を提供する。【解決手段】機器本体ケース１に固定されアンテナ保持部材４Ａを回動自在に支持するシャフト２と、シャフト２とアンテナ保持部材４Ａとの対向面２ｃ、４ｂの間に介装され前記対向面が離れるように付勢する板ばね７とを備え、板ばね７はシャフト２とアンテナ保持部材４Ａとの一方に対して前記回動方向の動きが規制され、他方に対して凹凸の係脱によるクリック作用を伴い前記他方を回動可能とし、板ばね７をシャフト７の軸方向に変位可能とし、アンテナ保持部材４Ａをシャフト７に対して軸方向に変位しないように構成した。【選択図】        図１
2004328316.tif 000002
【特許請求の範囲】
【請求項１】
機器本体ケースに固定されアンテナ保持部材を回動自在に支持するシャフトと、前記シャフトと前記アンテナ保持部材との対向面の間に介装され前記対向面が離れるように付勢する板ばねとを備え、前記板ばねは前記シャフトと前記アンテナ保持部材との一方に対して前記回動方向の動きが規制され他方に対して凹凸の係脱によるクリック作用を伴い前記他方を回動可能とし、前記板ばねを前記シャフトの軸方向に変位可能とし、前記アンテナ保持部材を前記シャフトに対して軸方向に変位しないように構成した回転アンテナのロック構造。
【請求項２】
前記板ばねの周囲に設けられた傾斜した凸片と前記シャフトと前記アンテナ保持部材とのいずれか一方に設けた凹部とを嵌合させた請求項１の回転アンテナのロック構造。
【請求項３】
前記板ばねの前記シャフトまたはアンテナ保持部材に設けられた凹部と嵌合する凸部の周囲に切り欠きを設けた請求項１または２の回転アンテナのロック構造。
【発明の詳細な説明】
【０００１】
【発明の属する技術分野】
この発明は回転アンテナのロック構造に係わり、特に、アンテナが回動軸方向に変位しない回転アンテナのロック構造に関する。
【０００２】
【従来の技術】
従来の無線機の回転アンテナのロック構造の例を図５および図６により説明する。図５および図６に示すシャフト２のねじ部２ａは図５に示す機器本体ケース１の穴に挿通され、ねじ部２ａにナット３を螺合させ、シャフト２は機器本体ケース１に締着される。シャフト２のねじ穴にねじ込まれたねじ１０はプリント基板９のアンテナ入力ランドに圧接する。
【０００３】
外側アンテナ保持部材２１と内側アンテナ保持部材２２はシャフト２のフランジ２ｂを覆うように合わせられてアンテナ保持部材２１Ａを形成する。このアンテナ保持部材２１Ａはシャフト２に回動自在かつ軸方向移動自在に支持されている。外側アンテナ保持部材２１の凸部に嵌着されたコイル状アンテナ６と前記アンテナ保持部材はアンテナカバー８に覆われ、これらは一体のアンテナを構成している。
【０００４】
図６（ａ）にも詳しく示されている板金部材２３には同一円周上等間隔ピッチで凸部２３ａ、２３ａ…が形成されている。図６（ｂ）にも詳しく示されているシャフト２の底面には前記凸部２３ａ、２３ａ…と対応する位置に凹部２ｄ、２ｄ…が設けられている。板金部材２３は外側アンテナ保持部材２１に固着されている。
【０００５】
シャフト２のフランジ２ｂと内側アンテナ保持部材２２の間にばねワッシャ２４が介装されており、このばねワッシャ２４は外側アンテナ保持部材２１と内側アンテナ保持部材２２とで構成されるアンテナ保持部材２１Ａを機器本体ケース１に近付く方向に付勢している。
【０００６】
このようにアンテナはシャフト２に回動自在かつ軸方向移動自在に支持され、ばねワッシャ２４により機器本体ケース１に近付く方向に付勢されてており、板金部材２３の凸部２３ａ、２３ａ…がシャフト２の凹部２ｄ、２ｄ…に嵌まり込む位置でロックされる。
【０００７】
アンテナをロックする力に打ち勝つ力で回動すると、アンテナ保持部材２１Ａはばねワッシャ２４の弾力に抗して機器本体ケース１から離れる方向に移動して板金部材２３の凸部２３ａ、２３ａ…がシャフト２の凹部２ｄ、２ｄ…から外れアンテナを回動させて次のロック位置に移動させることができる。
【０００８】
実開昭５６−１５２４０６号公報に開示されたアンテナ装置は、アンテナ保持体がアンテナ取付壁に固定された固定軸に軸心方向移動自在かつ回動自在に支持され、ばねでアンテナ取付壁方向に付勢されている。アンテナ取付壁側に固定された係止部は台形凸部が連続するように形成され、アンテナ保持体に設けられた可動の係止部も台形凸部が連続するように形成されており、これらの係止部が係合する位置でアンテナ保持体が仮に固定される。
【０００９】
アンテナは仮に固定された位置にロックされるが、回転体に回動方向に力を加えると、アンテナ保持体はばねの弾力に抗して軸方向に移動し、前記係止部の係合を外してアンテナ保持体を回動させることができる。
【００１０】
【特許文献１】
実開昭５６−１５２４０６号公報（第１１−１２頁、図８Ａ〜図８Ｃ）
【００１１】
【発明が解決しようとする課題】
上記した図５および図６に示す従来の回転アンテナのロック構造ではアンテナを回動させるときに、アンテナが回動軸方向に動くので製品の品位を高くすることができない。
【００１２】
実開昭５６−１５２４０６号公報に示されたアンテナ装置は、アンテナを回転体によりロックして回動しないようにすることはできるが、回転体のロックを解除してアンテナを回動させるときはやはりアンテナが回動軸方向に動く。
【００１３】
この発明は上記した点に鑑みてなされたものであって、その目的とするところは、アンテナを回動させるときに、回動軸方向に動くことがなく、高級感が得られる回転アンテナのロック構造を提供することにある。
【００１４】
【課題を解決するための手段】
この発明の回転アンテナのロック構造は、機器本体ケースに固定されアンテナ保持部材を回動自在に支持するシャフトと、前記シャフトと前記アンテナ保持部材との対向面の間に介装され前記対向面が離れるように付勢する板ばねとを備え、前記板ばねは前記シャフトと前記アンテナ保持部材との一方に対して前記回動方向の動きが規制され他方に対して凹凸の係脱によるクリック作用を伴い前記他方を回動可能とし、前記板ばねを前記シャフトの軸方向に変位可能とし、前記アンテナ保持部材を前記シャフトに対して軸方向に変位しないように構成したものである。
【００１５】
また、前記回転アンテナのロック構造において、前記板ばねの周囲に設けられた傾斜した凸片と前記シャフトと前記アンテナ保持部材とのいずれか一方に設けた凹部とを嵌合させたものである。
【００１６】
また、前記各回転アンテナのロック構造において、前記板ばねの前記シャフトまたはアンテナ保持部材に設けられた凹部と嵌合する凸部の周囲に切り欠きを設けたものである。
【００１７】
【発明の実施の形態】
この発明の実施例である回転アンテナのロック構造を図面に基づいて説明する。この発明の第１の実施例を図１〜図２により説明する。図１はこの発明の第１の実施例である回転アンテナのロック構造を示す断面図、図２（ａ）は同回転アンテナのロック構造を示す分解斜視図、図２（ｂ）は同回転アンテナのロック構造のシャフト２を下から見た斜視図である。
【００１８】
図１および図２に示すシャフト２のねじ部２ａは図１に示す機器本体ケース１の穴に挿通され、ねじ部２ａにナット３を螺合させ、シャフト２は機器本体ケース１に締着される。シャフト２のねじ穴にねじ込まれたねじ１０はプリント基板９のアンテナ入力ランドに圧接する。
【００１９】
外側アンテナ保持部材４と内側アンテナ保持部材５は一方に設けられた図示していない凸部が他方に設けられた図示していない凹部に圧入されてシャフト２のフランジ２ｂを覆うように合わせられてアンテナ保持部材４Ａを形成する。なお、外側アンテナ保持部材４と内側アンテナ保持部材５にねじを設けてねじ締めにより一体としてもよく、接着により一体としてもよい。
【００２０】
このアンテナ保持部材４Ａはシャフト２に回動自在に支持されている。外側アンテナ保持部材４の凸部に嵌着されたコイル状アンテナ６と前記アンテナ保持部材はアンテナカバー８に覆われ、これらは一体のアンテナを構成している。なお、アンテナカバー８は２分割されて圧接状態で一体とされる。また、接着により一体としてもよい。コイル状アンテナ６はアンテナ保持部材４Ａ、シャフト２およびねじ１０を介してプリント基板９のアンテナ入力ランドと電気的に接続される。
【００２１】
図２（ａ）にも詳しく示されている板ばね７の円板状平面部に同一円周上等間隔ピッチで凸部７ａ、７ａ…が形成されており、円板状平面部の周囲に傾斜凸片７ｂ、７ｂ…が形成されている。図２（ｂ）にも詳しく示されているシャフト２の底面には前記凸部７ａ、７ａ…と対応する位置に凹部２ｄ、２ｄ…が設けられている。
【００２２】
板ばね７の傾斜凸片７ｂ、７ｂ…は外側アンテナ保持部材４の凹部４ａ、４ａ…に嵌まり込むようにして、板ばね７は外側アンテナ保持部材４の対向面４ｂとシャフト２の対向面２ｃとの間に介装されている。この状態で板ばね７の弾力により内側アンテナ保持部材５がシャフト２のフランジ２ｂに圧接された状態となる。
【００２３】
このようにアンテナはシャフト２のフランジ２ｂに圧接状態で回動自在に支持されている。そして、板ばね７の凸部７ａ、７ａ…ががシャフト２の凹部２ｄ、２ｄ…に嵌まり込む位置でロックされる。
【００２４】
アンテナをロックする力に打ち勝つ力で回動させる、板ばね７の傾斜凸片７ｂ、７ｂ…は弾性変形して板ばね７がシャフト２から浮き上がり板ばね７の凸部７ａ、７ａ…がシャフト２の凹部２ｄ、２ｄ…から外れアンテナを回動させて次のロック位置に移動させることができる。このとき、内側アンテナ保持部材５はシャフト２のフランジ２ｂに圧接された状態に保たれ、アンテナを回動軸方向に移動させることなく回動させることができる。
【００２５】
図３および図４はこの発明の第２の実施例に用いられる板ばね１１を示す。この例では板ばね１１の円板状平面部に同一円周上等間隔ピッチで凸部１１ａ、１１ａ…が形成されており、円板状平面部の周囲に傾斜凸片１１ｂ、１１ｂ…が形成されている。凸部１１ａ、１１ａ…の周囲に図４（ａ）に詳しく示す切り欠き１１ｃが形成されている。
【００２６】
この板ばね１１を第１の実施例の回転アンテナのロック構造における板ばね７の代わりに用いることができる。この例では凸部１１ａ、１１ａ…が変位可能であり、アンテナをよりスムーズに回転させることができる。
【００２７】
実施例は以上のように構成されているが発明はこれに限られず、例えば、板ばねの傾斜凸片と嵌合する凹部をシャフト側に設け、板ばねの凸部に嵌合する凹部をアンテナ保持部材に設けてもよい。また、シャフトまたはアンテナ保持部材に凸部を設け、板ばねに凹部を設け、これらの凸部と凹部が嵌合することによりアンテナをロックするようにしてもよい。
【００２８】
【発明の効果】
この発明の回転アンテナのロック構造によれば、アンテナを回動させるときに回動軸方向に移動しないので、製品の品位が高められる。
【００２９】
また、従来の回転アンテナのロック構造に用いられたばねワッシヤと板金部材が１つの板ばねで置き換えられるので、部品点数が少なくなり、部品コストおよび組立て工数が削減される。
【００３０】
さらに、従来の回転アンテナのロック構造に用いられたばねワッシヤのように２部品のどちらかと擦れる部材がないため、製品寿命がばらつくことがない。
【図面の簡単な説明】
【図１】この発明の第１の実施例である回転アンテナのロック構造を示す断面図である。
【図２】図２（ａ）は同回転アンテナのロック構造を示す分解斜視図、図２（ｂ）は同回転アンテナのロック構造の部材を下から見た斜視図である。
【図３】この発明の第２の実施例である回転アンテナのロック構造の部材を示す斜視図である。
【図４】図４（ａ）は同部材の部分を示す平面図、図４（ｂ）は図４（ａ）におけるＡ−Ａ断面図である。
【図５】従来の回転アンテナのロック構造の例を示す断面図である。
【図６】図６（ａ）は同回転アンテナのロック構造を示す分解斜視図、図６（ｂ）は同回転アンテナのロック構造の部材を下から見た斜視図である。
【符号の説明】
１  機器本体ケース
２  シャフト、２ａ  ねじ部、２ｂ  フランジ、２ｃ  対向面、２ｄ  凹部
３  ナット
４  外側アンテナ保持部材、４ａ  凹部、４ｂ  対向面
４Ａ  アンテナ保持部材
５  内側アンテナ保持部材
６  コイル状アンテナ
７  板ばね、７ａ  凸部、７ｂ  傾斜凸片
８  アンテナカバー
９  プリント基板
１０  ねじ
１１  板ばね、１１ａ  凸部、１１ｂ  傾斜凸片、１１ｃ  切り欠き
２１  外側アンテナ保持部材
２１Ａ  アンテナ保持部材
２２  内側アンテナ保持部材
２３  板金部材、２３ａ  凸部
２４  ばねワッシャ
【図１】
2004328316.tif 000003
【図２】
2004328316.tif 000004
【図３】
2004328316.tif 000005
【図４】
2004328316.tif 000006
【図５】
2004328316.tif 000007
【図６】
2004328316.tif 000008